(57)【要約】      （修正有）【課題】眼内挿入用レンズを変形して眼内に挿入する挿入システムにおいて、レンズ押出時にレンズの支持部を所定形状に形状規制する。【解決手段】変形可能な光学部と前記光学部を眼内で支持する支持部とを有する眼内挿入用レンズ２０と、光学部に応力をかけない状態でレンズを内部に保持する機構を有する保持手段１０と、前記レンズを小さく変形する変形手段、並びに、変形されたレンズを内腔を通して眼内に挿入する挿入筒３２および前記レンズを挿入筒先端部３２a開口から眼内に押出す押出機構３４を有する眼内挿入用レンズの挿入器具３０とで構成され、且つ前記保持手段には、レンズ移動機構を備えた眼内挿入用レンズの挿入システムであって、前記レンズ押出時に前記支持部を所定形状にするための規制部材１００を備えた。【選択図】図１
2004344478.tif 000002
【特許請求の範囲】
【請求項１】
変形可能な光学部と前記光学部を眼内で支持する支持部とを有する眼内挿入用レンズからなるレンズと、光学部に応力をかけない状態でレンズを内部に保持する機構を有する保持手段と、前記レンズを小さく変形する変形手段、並びに、変形されたレンズを内腔を通して眼内に挿入する挿入筒および前記レンズを挿入筒先端部開口から眼内に押出す押出機構を有する眼内挿入用レンズの挿入器具とで構成され、前記保持手段には、前記レンズを未使用の保持状態から前記押出機構により押出し可能な使用状態位置に移動させるためのレンズ移動機構を備えた眼内挿入用レンズの挿入システムであって、前記レンズ押出時に前記支持部を所定形状にするための規制部材を備えたことを特徴とする眼内挿入用レンズの挿入システム。
【請求項２】
前記支持部を所定形状にする規制部材は、挿入筒先端部開口より挿入され、抜き差し可能な末端部が前記光学部の外周部と前記支持部との間に配置されたフック形状を有するものであることを特徴とする請求項１に記載の眼内挿入用レンズの挿入システム。
【請求項３】
前記規制部材が、前記レンズ移動機構の誤動作防止機能を備えていることを特徴とする請求項１に記載の眼内挿入用レンズの挿入システム。
【発明の詳細な説明】
【０００１】
【発明の属する技術分野】
この発明は、白内障で水晶体を摘出した後に水晶体の代わりに挿入される、屈折異常を矯正する等の目的で眼内に挿入される眼内挿入用レンズを眼内に挿入するためのシステムに関するものである。
【０００２】
【従来の技術】
眼内挿入用レンズは、白内障手術の際に除去した水晶体（無水晶体眼）の屈折力を補うために水晶体の位置に挿入されるものが一般的であり、１９４９年にリドレイ（Ｒｉｄｌｅｙ）により初めて移植されて以来、その素材、形状等についてさまざまな研究がなされてきた。
また、近年になってこのような白内障術後の屈折異常を矯正する目的以外に水晶体を持った眼（有水晶体眼）に対して近視、遠視の矯正のために眼内に挿入する屈折矯正用眼内挿入用レンズに関しても研究が進んでいる。
白内障手術に関しても、超音波乳化吸引術等の普及もあり小さい切開創で混濁した水晶体を除去する水晶体摘出手術が可能になっている。それらの進歩に伴い眼内挿入用レンズも例えば、特開昭５８−１４６３４６号公報に開示されている発明のように光学部が弾性体等の変形可能な素材で構成され、折畳んだ形状で小さな切開創から眼内に挿入し、眼内をもとの形状に復元させることによってレンズとして機能させる眼内挿入用レンズが実用化されている。
これらの技術に伴い、光学部の素材も硬いポリメチルメタクリレート（ＰＭＭＡ）から、折畳んで眼内挿入可能なシリコーンやソフトアクリル樹脂に次第に移行している。
【０００３】
また、近年ではヒドロキシエチルメタクリレートとメチルメタクルレート等との共重合体やメタクリル酸−２−ヒドロキシエチル（ＨＥＭＡ）等の親水性材料も研究の対象となっている。さらに、その形状も円形の光学部とは別素材で構成したループ状の支持部を持つもの、ループ状の支持部が光学部と同一素材で一体化したもの、支持部が板状のもの等さまざまなものが研究され実用化されている。さらにまた、上記に示した変形可能な眼内挿入用レンズを圧縮したり、折り曲げたりして眼球内に挿入する挿入装置として、特表平９−５０６２８５公報に開示された発明がある。上記発明に記載されている実施例では、中間準備領域に応力のない状態でレンズを保持し、中間準備領域を本体部に取り付けた上で、さらに眼内にレンズを挿入するカニューレ（挿入筒）をはめ込むことで、眼内レンズを眼内に挿入する装置が開示されていると共に、中間領域がレンズパッケージとして使用され得る技術が開示されている。また、任意の構成要素として、水晶体（眼内レンズ）を保持するための中間準備領域を形成する棚部（レンズを設置する部分）に設けられたホール（注入口）より粘弾性の材料（眼内レンズを通過させるための潤滑剤）を挿入（注入）する方法が提案されている。
【０００４】
しかしながら、前記特表平９−５０６２８５に提案される発明は、あらかじめ中間領域にレンズを設置してレンズパッケージとして使用する点が示されているが、カニューレ（挿入筒）部分が別部材であるため、使用の際にはカニューレを取り付ける作業が発生するという問題があった。
また、あらかじめ眼内レンズを押出軸の中心上にある中間領域に保管しておくことも開示されているが、この発明では、レンズを保管するのに最適な材料で中間領域を構成することが不可能であると共に、特にループ上の支持部を有する眼内レンズにあっては、ループ上の支持部とレンズ光学部との間には所定の角度を保持させておく必要があるが、これを維持するための機能を持たせた構成を前記中間領域に設けることは非常に困難であるという問題点があった。
【０００５】
この問題点に対して、本発明の出願人は、特開２００１−１０４３４７において、操作を簡略化した眼内挿入用レンズの挿入システムを提案している。
即ち、前記特開２００１−１０４３４７では、眼内挿入用レンズを挿入器具のレンズ保持部材に保管し、使用時には、レンズ移動機構によりレンズを所定位置にセットできる構成を備えることで、挿入器具自体にレンズ保管中にその光学部に応力をかけることなく、かつ支持部の角度を一定にした状態に保持されているため、従来必要であった眼内挿入用レンズの支持部の角度を一定に保つための機構を有する別個のレンズケースを不要とし、また挿入器具に眼内挿入用レンズをその都度設置する設置操作をなくし、もしくは簡略化して設置操作にかかわる時間を節約するばかりでなく、術者の挿入操作などに伴うレンズの破損、あるいはレンズが正常に眼内に挿入されないという不具合を解消し、さらには眼内挿入用レンズ及び挿入器具を滅菌状態のまま提供することができるようにした眼内挿入用レンズの挿入システムが提案されている。
【０００６】
【発明が解決しようとしている課題】
しかしながら、上述した従来の発明には、未使用時には眼内挿入用レンズを挿入器具の保持部材に保管し、使用時には、レンズ移動機構によりレンズを所定位置にセットできる構成が開示されているが、レンズに設けられた支持部を所定形状に形状規制するための規制部材は開示されていなかった。
【０００７】
本発明は、前述した問題点を解決しようとするもので、眼内挿入用レンズを未使用の保持状態から押出し可能な位置に移動させてレンズを押し出す際にレンズに設けられた支持部を所定形状に形状規制することでレンズが変形して挿入筒内を移動した時にレンズの支持部が不必要な力を受けず、レンズが眼内に挿入された場合の支持部の変形を防止することを目的とする。
また、前記支持部を所定形状にするための規制部材は、具体的には挿入筒先
端部から挿入され、レンズの光学部外周部とレンズの支持部との間に位置する末端部にフック形状を形成したものである。
さらに、支持部を所定形状にするための規制部材が、眼内挿入用レンズを未使用の保持状態から押出可能な位置に移動させるレンズ移動機構に設けられた誤動作防止機能を兼ね備えることにより、使用前にレンズ移動機構を誤って操作してしまい、意図せずレンズが押出可能な位置に移動してしまったり、搬送時の振動や衝撃などの影響による誤動作の問題を解消することを目的とする。
【０００８】
【課題を解決するための手段】
請求項１の発明は、変形可能な光学部と前記光学部を眼内で支持する支持部とを有する眼内挿入用レンズからなるレンズと、光学部に応力をかけない状態でレンズを内部に保持する機構を有する保持手段と、前記レンズを小さく変形する変形手段、並びに、変形されたレンズを内腔を通して眼内に挿入する挿入筒および前記レンズを挿入筒先端部開口から眼内に押出す押出機構を有する眼内挿入用レンズの挿入器具とで構成され、前記保持手段には、前記レンズを未使用の保持状態から前記押出機構により押出し可能な使用状態位置に移動させるためのレンズ移動機構を備えた眼内挿入用レンズの挿入システムであって、前記レンズ押出時に前記支持部を所定形状にするための規制部材を備えたことを特徴とする。
前記規制部材を設けたことで、押出機構によりレンズが眼内に押し出される過程でレンズに設けられた支持部に不要な力を加えることを回避し、眼内に押し出された後に支持部が変形してしまったりするなどの付具合を回避することが可能である。
【０００９】
請求項２の発明は、請求項１に記載の眼内挿入用レンズの挿入システムにおいて、前記支持部を所定形状にする規制部材は、挿入筒先端部開口より挿入され、抜き差し可能な末端部が前記光学部の外周部と前記支持部との間に配置され得るようにしたフック形状を有するものである点を具体的に限定したものである。
【００１０】
請求項３の発明は、請求項１に記載の眼内挿入用レンズの挿入システムにおいて、前記規制部材が、前記レンズ移動機構の誤動作防止機能をも備えることを特徴とするもので、誤った操作や、振動、衝撃等により眼内挿入用レンズの意図しない移動を確実に防止することも可能になるという利点を持つようにしたものである。
【００１１】
【発明の実施の形態】
図１は、本発明による眼内挿入用レンズの挿入システムの一実施の形態を示すもので、本実施の形態においては、眼内挿入用レンズ２０の保持手段としてのレンズ保持部材１０に設置したレンズ２０の水平状態の前後方向中心と挿入器具３０の押出軸３３の軸方向中心とが互いに一致していない状態で装着される第１の未使用の保持状態と、レンズ２０が押出軸３３により押出し可能な位置に移動した第２の使用設置状態およびレンズ移動機構である押圧部１３により前記第１から第２の状態に遷移させるレンズ移動機構により構成されていること示している。
即ち、図１の（ａ）はレンズ保持部材１０を挿入器具３０に組付け装着した前記第１の未使用の保持状態を示す正面図、（ｂ）は第２の使用設置状態を示した正面図である。
【００１２】
本発明の前記システムは大きく分けて眼内挿入用レンズ２０を保管するレンズ保持手段であるレンズ保持部材１０と、眼内挿入用レンズ２０を患者の眼内に挿入する挿入器具３０により構成されている。
図中、３０は眼内挿入用レンズの挿入システムにおける挿入器具で、透明又は半透明製のプラスチックなどで成型され、基端部３１ａ側を太径に且つ先端部３１ｂ側を小径に形成した内部中空の筒本体３１と、該筒本体３１の軸方向中心上に軸中心が位置するように内装配設された押出軸３３と、前記筒本体３１の基端部３１ａに取付けられ前記押出軸３３の基端部３１ａと連結され、前記押出軸３３を図面上の左右方向に移動させる押出機構３４と、前記筒本体３１の先端部３１ｂに形成された装着部３５には保持手段であるレンズ保持部材１０とが装着され、該装着部３５の先端側に前記筒本体３１の軸心と一致する内腔を有する先細の挿入筒３２が形成されたもので、挿入筒３２の先端部３２ａから眼内挿入用レンズ２０を小さく変形して押し出せるようにしたものである。
【００１３】
図１の（ａ）ではレンズの中心が一点鎖線Ｌで表す押出軸３３の軸方向の中心とが一致しない状態で配置されていることがわかる。眼内挿入用レンズ２０は、レンズ保持部材１０内で図１の（ａ）に示す第１の未使用の保持状態で保管されている。
図１の（ｂ）は、前記第１の未使用の保持状態からトップ部材１２の押圧部１３を紙面下方に押し込んで眼内挿入用レンズ２０を装着部３５の中心部に押し出し、押出軸３３の軸方向中心とほぼ一致する第２の使用設置状態に移動させた様子を表している。
【００１４】
この第２の使用設置状態では、筒本体３１の基端部３１ａ側に設けられた押出機構３４により押出軸３３を先端側に移動することで、眼内挿入用レンズ２０を挿入筒３２の先端部３２ａより眼内に押し出すことが可能となる。
また、符号１００は、後述の眼内挿入用レンズ２０の支持部２２を所定形状に形状規制するための規制部材で、この規制部材１００の先端部には使用者が指で挟持できる大きさの円盤状の挟持部１００ｂを有し、該挟持部１００ｂには前記挿入筒３２の先端部３２ａ開口より挿入される小径の操作杆１００ｃが連続形成されており、その末端部には前記眼内挿入用レンズ２０の支持部２２を形状規制する末端を折曲げ形成したフック部１００ａが形成されたものである。
【００１５】
図２は、図１（ａ）に示すレンズ保持部材１０が挿入器具３０に装着された組付け状態を示す図で、（ａ）は未使用の状態での部分拡大正面図、（ｂ）は使用設置状態での部分拡大正面図である。図２の（ａ）に示すレンズ保持部材１０は、例えば、円形の光学部２１とは別素材で構成したループ状の一対の支持部２２，２２を有する眼内挿入用レンズ２０の支持部２２，２２と、光学部２１とのなす角度θを保持するために、前後方向に対峙して左右方向に伸び、角度θの傾斜面１１ａをもったベース部材１１の係止部１１ｂ（図３参照）上に前記レンズ２０の外周部を係止させて置き、ベース部材１１の傾斜面１１ａと合わさる角度を底面１４ｂに形成したトップ部材１２の挟持部１４で前記眼内挿入用レンズ２０の支持部２２，２２を挟み込む構造を有している。
また、前記規制部材１００の挿入筒３２へ挿入された末端フック部１００ａは、投影方向で眼内挿入用レンズ２０の光学部２１外周部と前記挿入筒３２側に位置する支持部２２との間隙に配置されている。
【００１６】
図２の（ｂ）では、押圧部１３を紙面下方に押し込んでトップ部材１２によりレンズが使用設置状態に移動した状態を示している。この状態で支持部２２の規制部材１００の末端フック部１００ａは、前記光学部２１と前記挿入筒３８２側の支持部２２との間に位置し、規制部材１００を移動させた場合に支持部２２を末端のフック部１００ａに引っかけて所定形状に変形（形状規制）することのできる位置に配置されている。
この図２（ｂ）の状態で押出軸先端３３ａによりレンズ２０の光学部２１を押すことにより、レンズ２０の支持部２２を巻き込むことなくレンズ２０の光学部２１の前方に位置したままで前記眼内挿入用レンズ２０を押し出すことができる。
【００１７】
前記規制部材１００は、レンズ移動部３９、挿入筒３２の内壁に接触しても傷つけることのなくレンズ２０の支持部２２を変形させるのに十分な強度をもつ弾性体もしくは柔軟性を持つ素材で構成されている。
【００１８】
この状態をより見やすくしたものが、図２（ａ），（ｂ）の紙面上方向からの投影方向から見た図３（ａ），（ｂ）である。これから容易にわかるようにレンズ２０の光学部２１の外周部とレンズ２０の支持部２２との間隙に前記規制部材１００の末端のフック部１００ａが配置されている。図３（ｂ）は押圧部１３を押し下げて使用設置状態にした場合で、しかも前記規制部材１００を図３（ａ）に示した状態より矢印方向に方向に引き抜いた状態を示している。
可撓性材料からなる前記眼内挿入用レンズ２０の前記支持部２２は、規制部材１００の末端のフック部１００ａにより変形させられ、支持部２２の湾曲形状がレンズ移動部３９から挿入筒３２へ連続する空間の内壁により伸ばされた所定の形状で固定される。
【００１９】
前記レンズ保持部材１０は、図４の（ａ），（ｂ）によく示すように、上面に開口部１１ｃを有し、且つ、前，後側壁１１ｄ，１１ｄの下端部にそれぞれ前記装着部３５の前，後側面下端近傍外周面に形成した係止段部３８と弾撥的に結合する突状１１ｅ，１１ｅを形成した左右方向開口の断面コ字状に構成されるとともに、前記前，後側壁１１ｄ，１１ｄの内面ほぼ中央部には、眼内挿入用レンズ２０の支持部２２，２２及び光学部２１の外周を載置させる左右方向に伸びる一対の係止部１１ｂが形成されている。そして、前記係止部１１ｂは、図２（ａ）に示すように、眼内挿入用レンズ２０の支持部２２，２２と光学部２１との角度θを保持するために、角度θを有する傾斜面１１ａが形成されたものである。
【００２０】
一方、前記ベース部材１１の上面開口部１１ｃに挿入されるトップ部材１２は、中空矩形の角筒状に形成した挟持部１４とこの挟持部１４に上下方向移動可能に配設される押圧部１３とから構成されている。前記挟持部１４の底面１４ｂは前記ベース部材１１の係止部１１ｂの傾斜面１１ａと同様の傾斜面１４ａが形成されていると共に、前後方向の内壁面１４ｃには、互いに対峙させて所定の間隔で上，下に一対の凹部１４ｄ，１４ｅが形成されている。
【００２１】
前記押圧部１３は、前記挟持部１４の開口部１４ｆより挿入されて、前記眼内挿入用レンズ２０を未使用の保持状態から使用設置状態に移動させるためのものである。そして、上部には大径の頭部１３ａと、この頭部１３ａに連続する角柱状の脚部１３ｂとから構成されると共に、脚部１３ｂの下端近傍外面には突子１３ｃが形成され、前記挟持部１４の凹部１４ｄ，１４ｅのいずれか一方に係合するようになっている。すなわち、未使用の保持状態では、凹部１４ｄと、また、使用設置状態では押圧によって移動し凹部１４ｅと係合するようになっている。また脚部１３ｂの底面には凹面１３ｄが形成され、該凹面１３ｄには眼内挿入用レンズ２０の外周部を保持する突起１３ｆが形成されたものである。
【００２２】
以上のように構成された本発明の実施の形態によれば、図４の（ａ）に示す第１の未使用の保持状態より図４の（ｂ）に示す第２の使用設置状態にするには、レンズ保持部材１０のベース部材１１とトップ部材１２によって、その外周の一部が挟み込まれたレンズ２０をトップ部材１２の押圧部１３の大径の頭部１３ａを下方に押圧移動させることにより装着部３５の凹状に湾曲した溝状のレンズ移動部３９方向へ眼内挿入用レンズ２０を移動させ、眼内挿入用レンズ２０の外周部を前記湾曲凹部３９ａの開口突縁３９ｂの裏面に係止させる。
このレンズ移動機構の操作によりレンズ２０の中心と不図示の押出軸３３の軸方向中心とがほぼ一致する状態となり、押出軸３３を左方向へ移動させることでレンズ移動部３９内の空間１５を紙面垂直方向に移動して装着部３５に一体に設けた挿入筒３２の内腔を通過した後、眼内に押し出される。
なお、前記押圧部１３は、突子１３ｃが押圧によって移動して凹部１４ｅと係合することでレンズ移動部３９へ移動させた眼内挿入用レンズ２０の復元を防止し位置決めが確実にできる。
【００２３】
また、レンズ移動部３９ヘレンズ２０が移動した状態を確認することができるようにレンズ保持部材１０に使用する成型材料は、透明または半透明の樹脂材料であることが望ましい。
また、図４によりトップ部材１２の下方の面と、装着部３５に形成したレンズ移動部３９との間に、眼内挿入用レンズ２０が移動する空間１５を形成していることも確認できる。すなわちトップ部材１２の押圧部１３はレンズ２０を下方に移動させる機能と装着部３５との組合せによりレンズ移動空間１５を形成するという２通りの機能を果すこととなる。
【００２４】
以上のように、この発明の実施の形態におけるベース部材１１，挟持部１４及び押圧部１３を備えたトップ部材１２で構成されるレンズ保持部材１０は、挿入器具３０に組み込んで挿入器具３０の機構の一部として機能するものである。
なお、前述の実施形態では、挿入器具３０の筒本体３１とレンズ保持部材１０とを分離可能な別体構成のものを組付けて挿入器具３０を構成するようにしたが、前記ベース部材１１は筒本体３１の装着部３５と一体成型することも可能であると共に、トップ部材１２についてもベース部材１１の上面端部にヒンジを介して一体に成型することも勿論可能である。
また、本図は、眼内挿入用レンズ２０を小さく変形させる変形手段の一部をレンズ保持部材１０と一体に構成したことを特徴とすることも説明することができる。
【００２５】
レンズ移動部３９が湾曲の溝状としていること、トップ部材１２でレンズ２０をレンズ移動部３９へ押し付けながら移動させること、及びレンズ移動部３９の寸法Ｊとレンズ５０の寸法ＫによりＪ寸法よりＫ寸法が長いこと、の３点から、レンズ２０が装着部３５のレンズ移動部３９へ移動した際に、変形手段の一部をレンズ保持部材１０と一体に構成したことを確認できる。
【００２６】
図５は、本発明の実施の形態の眼内挿入用レンズ２０の支持部２２を所定形状にする規制部材１００の変形例を示した規制部材１０１を示している。この変形例における規制部材１０１では、眼内挿入用レンズ２０の支持部２２の形状を規制する末端のフック部１０１ａと、トップ部材１２が未使用時にレンズ１２移動部３９に移動して、未使用状態に保持した眼内挿入用レンズ２０を変形させることのないようにした、誤動作防止手段４０とを一体に構成したものである。
【００２７】
前記誤動作防止手段４０は、前記レンズ保持部材１０のベース部材１１の上面とトップ部材１２の押圧部１３の頭部１３ａに連続する角柱状の脚部１３ｂの両側との間に配設されて，前記トップ部材１２への予期しない押圧力による下向への移動に対応して、前記移動を阻止する一対の挟持部４０ａ，４０ａを有し、先端部は前記規制部材１０１の操作杆１０１ｂの先端部と連結された一体成型のものからなる。なお、この第２実施形態における規制部材１０１の末端の折曲げフック部１０１ａは、未使用状態から使用状態に操作する際に、前記誤動作防止手段４０と一体成形されているので、同時に移動を開始するが、フック部１０１ａの折り曲げ長さを長くしてあり、前記眼内挿入用レンズ２０の未使用の保持状態にあっても、フック部１０１ａと前記支持部２２とが互いに係合状態になっているので、使用するためにトップ部材１２を押し下げた状態では、挿入筒３２側に位置する前記支持部２２の先端形状を規制して支持部２２の先端を挿入筒３２の壁面に案内する。
【００２８】
また、前記規制部材１０１のフック部１０１ａの長さを前記挿入筒３２の先端部開口の直径長さより長くしたが、規制部材１０１は支持部２２を変形させるのに十分な強度をもつ弾性体もしくは柔軟性を持つ素材で構成されているため、挿入筒３２への抜き差しにおいては前記柔軟性を利用して若干変形させた状態で装着が可能となる。
また、前記実施形態では規制部材１０１と誤動作防止手段４０を一体成型したものについて説明したが、夫々別体構成とし、先端側で互いに連結するように構成しても良いことは勿論である。
【００２９】
このような構成の規制部材１０１によれば、眼内挿入用レンズ２０の眼内挿入に際しては誤動作防止手段４０を紙面左方向に引き抜いてレンズ２０をレンズ移動部３９に移動するだけで、前記誤動作防止手段４０と共に移動する末端フック部１０１ａによって、支持部２２を所定形状に形状規制することができるので、誤動作防止手段と所定形状への手段との両機能を兼ね備えることができる。
【００３０】
特に、眼内挿入用レンズ２０の挿入システムが使用される環境では無菌の環境が必要とされるため、実際の使用時に操作者は手袋等をはめた状態で作業をする必要があり、細かいものへの操作性が低下するため、レンズ保持部材１０より大きく持ちやすい挿入器具３０をもって、レンズ保持部材１０の押圧部１３を上方から下方に押し付ける動作により第１の未使用の保持状態より第２の使用設置状態に眼内挿入用レンズ２０を移動させて挿入器具３０から眼内挿入用レンズ２０を眼内に挿入できることは、より好ましい操作形態といえる。
【００３１】
また、前述の実施の形態では、レンズ保持部材１０と挿入筒３２の双方で眼内挿入用レンズ２０を変形させる変形手段を示したが、特にこれに限定することなく、レンズ保持部材１０のみで眼内挿入用レンズ２０を眼内に挿入する小さな形状に変形させた上で、挿入筒３２の内腔を通過させて眼内に挿入する構成としたり、レンズ保持部材１０には前記変形手段を形成することなく、変形手段を挿入筒３２に持たせる構成とするなど、容易に変更出来ることは勿論である。
【００３２】
また、前記使用した眼内挿入用レンズ２０の中心とは、眼内挿入用レンズ２０を水平にした状態で、光学部２１の垂直中心を通る前後方向且つ厚さ方向の中心を指すものである。
【００３３】
【発明の効果】
以上説明したように、請求項１の発明は、変形可能な光学部と光学部を眼内で支持する支持部材を有する眼内挿入用レンズからなるレンズと、光学部に応力をかけない状態でレンズを内部に保持する機構を有する保持手段と、前記レンズを小さく変形する変形手段、並びに、変形されたレンズを内腔を通して眼内に挿入する挿入筒および前記レンズを挿入筒先端部開口から眼内に押出す押出機構を有する眼内挿入用レンズの挿入器具とで構成され、前記保持手段には、前記レンズを未使用の保持状態から前記押出機構により押出し可能な位置に移動させるためのレンズ移動機構を備えた眼内挿入用レンズの挿入システムであって、レンズ押出時に前記支持部を所定形状にするための規制部材を備えることで、変形、押出時において支持部に無理な力がかかることを防止することが可能であるため、眼内挿入時に支持部が変形することを回避し、安全性と安定性を向上させた眼内挿入用レンズの挿入システムの提供が可能となる。
請求項２の発明は、請求項１に記載した眼内挿入用レンズの挿入システムにおいて、押出時に支持部を所定形状にするための規制部材は、挿入筒先端より挿入される抜き差し可能な末端フック部が、前記光学部の外周部と前記支持部との間に配置されたフック形状を有する部材であるため、前記眼内挿入用レンズを挿入筒先端より押し出す時には確実に支持部を所定形状にしておくことが可能となる。
請求項３の発明は、請求項１に記載した眼内挿入用レンズの挿入システムにおいて、前記支持部を所定形状にするための規制部材に、レンズ移動機構の誤動作防止機能を兼ねる機構を付加したので、上記の利点に加えて挿入システムの未使用の保持状態を確実に維持することが可能であり、使用前の誤動作や搬送時の振動や衝撃などによる誤動作を確実に防止することが可能である。
【図面の簡単な説明】
【図１】本発明に係る眼内挿入用レンズの挿入システムの一実施の形態を示す図であり、（ａ）はレンズ保持部材を挿入器具に装着して前記第１の未使用の保持状態を示す正面図、（ｂ）は第２の使用設置状態を示した正面図である。
【図２】図１の（ａ）の部分拡大図で、（ａ）はレンズ保持状態を示す部分拡大正面図、（ｂ）は使用設置状態を示す拡大正面図である。
【図３】図２の平面投影図で、（ａ）は、支持部フックが当初の位置に配置された図、（ｂ）は、支持部フックを引き抜いて支持部が所定形状に変形された図。
【図４】図１の（ａ），（ｂ）実施の形態の要部の断面を示すもので、（ａ）は、図１（ａ）における１−１線に沿う拡大断面図、（ｂ）は、図１（ｂ）における２−２線に沿う拡大断面である。
【図５】本発明の実施形態の眼内挿入用レンズの支持部を挿入筒側への押出動作前に支持部を所定形状にする規制部材の変形例を示す要部拡大正面図である。
【図６】図５の変形例の規制部材のみを示した平面図である。
【符号の説明】
１０      レンズ保持部材（保持手段）
１１      ベース部材
１２      トップ部材
１３      押圧部
１３ａ    大径の頭部
１３ｂ    脚部
１３ｃ    突子
１４      挟持部
１４ａ    傾斜面
１４ｂ    底面
１４ｃ    内壁面
１４ｄ，１４ｅ    凹部
１４ｆ    開口部
１５      空間
２０      眼内挿入用レンズ
２１      光学部
２２      支持部
３０      挿入器具
３１      筒本体
３１ａ    基端部
３１ｂ    先端部
３２      挿入筒
３２ａ    挿入筒先端部開口
３３      押出軸
３４      押出機構
３５      装着部
３９      装着部のレンズ移動部
３９ａ    湾曲面
３９ｂ    突縁
４０      誤動作防止手段
１００，１０１    規制部材
１００ａ    末端フック部
【図１】
2004344478.tif 000003
【図２】
2004344478.tif 000004
【図３】
2004344478.tif 000005
【図４】
2004344478.tif 000006
【図５】
2004344478.tif 000007
【図６】
2004344478.tif 000008